(57)【要約】    【課題】電源を落とすような異常であっても、異常内容を不揮発的に保存表示して故障箇所や故障原因を迅速且つ適切に把握可能とする。    【解決手段】  サーバ本体１２の外部に、電源が断たれても表示状態を保持する電子ペーパー表示装置２０を設置する。サーバ本体１２内にソフトウェアとして設けられた表示制御部は、サーバ本体１２で検出した異常の内容を示す情報、例えば異常の内容を示すエラーコードを電子ペーパー表示装置２０に表示する。電子ペーパー表示装置１２は電源や冷却ファンの故障によりエラーコードを電子ペーパー表示装置２０に表示した後に電源を切断しても、電子ペーパーのメモリ性により電源切断後も、エラーコードの表示を維持する。    【選択図】      図１
2008225528.tif 000002
【特許請求の範囲】
【請求項１】
情報を処理する計算機本体と、
前記計算機本体の外部に設置され、電源が断たれても表示状態を保持する表示装置と、
前記計算機本体内に設けられ、計算機本体で検出した情報を前記表示装置に表示する表示制御部と、
を備えたことを特徴とする計算機。
【請求項２】
請求項１記載の計算機に於いて、前記表示装置は電子ペーパーパネルを備えたことを特徴とする計算機。
【請求項３】
請求項１記載の計算機に於いて、前記表示制御部は、前記計算機本体で検出したメンテナンスに必要な情報を前記表示装置に表示することを特徴とする計算機。
【請求項４】
請求項１記載の計算機に於いて、前記表示制御部は、前記計算機本体に対しユーザの登録操作により入力された情報を前記表示装置に表示することを特徴とする計算機。
【請求項５】
計算機の外部又はその近傍に設置され、電源が断たれても表示状態を保持する表示装置本体と、
前記計算機にコネクタ接続されて電源及び表示情報信号を前記表示装置本体に供給するインタフェースケーブルと、
を備えたことを特徴とする表示装置。
【請求項６】
請求項５記載の表示装置に於いて、前記表示装置本体は電子ペーパーパネル、ドライバ回路及びインタフェース回路を備えたことを特徴とする表示装置。
【発明の詳細な説明】
【技術分野】
【０００１】
本発明は、計算機本体に設置された表示装置に異常等のメンテナンスに必要な情報を表示する計算機及び表示装置に関し、特に、電子ペーパーを表示パネルに使用して情報を表示する計算機及び表示装置に関する。
【背景技術】
【０００２】
従来、パーソナルコンピュータやサーバ等の計算機にあっては、計算機が故障した場合やソフトウェア上のトラブルが起こった場合、通常は計算機上で専用のアプリケーションソフトを使用することにより故障箇所を表示することができる。
【０００３】
一方、冷却ファンや電源などが故障した場合は、加熱や電源異常によりＣＰＵが暴走する危険があることから、速やかに電源を落とすようにしている。
【０００４】
しかし、冷却ファンや電源などの故障で電源を落とした場合、計算機そのもので故障箇所を表示することができないため、従来は次のような方法をとっている。
（１）目視でシステムボードや筐体内部を確認する方法。
（２）故障箇所が特定できる監視調査用のアプリケーションソフトを使用する方法。
（３）Windows（Ｒ）でブルースクリーン画面が出て停止したような場合、画面に表示されるＣＰＵレジスタの値を確認する方法。
（４）サーバ等の計算機ではメインのシステムボードとは独立に動く監視用のプロセッサや筐体に小型液晶による表示部を備えたサブ装置があることから、計算機本体が故障した場合でも簡単な故障箇所やエラーの情報をサブ装置により表示部に表示して確認する方法。
【特許文献１】特開平５−３４２２２５号公報
【特許文献２】特開平４−２９８１３７号公報
【特許文献３】特開平１１−１２７２２０号公報
【発明の開示】
【発明が解決しようとする課題】
【０００５】
しかしながら、このような従来の故障箇所を確認する方法にあっては、冷却ファンや電源などの故障で電源を落とした故障の場合、次のような問題がある。
【０００６】
まず目視による確認では故障箇所が推定できても、根本的な原因を特定するのは難しい場合がある。また監視調査用のアプリケーションや画面表示されるＣＰＵレジスタの値を確認する方法は、故障箇所の特定にOSの起動及びアプリケーションソフトを実行する必要があるため、故障時に障害を負ったまま調査することが難しいという問題がある。
【０００７】
更に、サブ装置で計算機本体の故障を確認する方法は、故障で電源を落としているような場合には、サブ装置そのものを起動できず、障害を確認することができないという問題がある。
【０００８】
本発明は、電源を落とすような異常であっても、異常内容を不揮発的に保存表示して故障箇所や故障原因を迅速且つ適切に把握可能とする計算機及び表示装置を提供することを目的とする。
【課題を解決するための手段】
【０００９】
（計算機）
本発明は計算機を提供するものであり、本発明の計算機にあっては、
情報を処理する計算機本体と、
計算機本体の外部に設置され、電源が断たれても表示状態を保持する表示装置と、
計算機本体内に設けられ、計算機本体で検出した情報を表示装置に表示する表示制御部と、
を備えたことを特徴とする。
【００１０】
表示装置は電子ペーパーパネルを備える。
【００１１】
表示制御部は、計算機本体で検出したメンテナンスに必要な情報を表示装置に表示する。
【００１２】
表示制御部は、計算機本体で検出した異常の内容を示す情報を表示装置に表示する。
【００１３】
表示制御部は、計算機本体で検出した異常の内容を示すエラーコードを表示装置に表示する。
【００１４】
表示制御部は、計算機で検出する情報の内、表示装置に表示する情報を予め選択して設定する。
【００１５】
表示制御部は、計算機本体に対しユーザの登録操作により入力された情報を表示装置に表示する。
【００１６】
（表示装置）
本発明は表示装置を提供するものであり、本発明の表示装置は、
計算機の外部又はその近傍に設置され、電源が断たれても表示状態を保持する表示装置本体と、
計算機にコネクタ接続されて電源及び表示情報信号を表示装置本体に供給するインタフェースケーブルと、
を備えたことを特徴とする。
【００１７】
表示装置本体は電子ペーパーパネル、ドライバ回路及びインタフェース回路を備える。
【００１８】
表示装置本体は、計算機で検出したメンテナンスに必要な情報を表示する。
【００１９】
表示装置本体は、計算機本体で検出した異常の内容を示す情報を表示する。
【００２０】
表示装置本体は、計算機で検出した異常の内容を示すエラーコードを表示する。
【００２１】
表示装置本体は、計算機で検出する情報の内、予め選択して設定した情報を表示する。
【００２２】
表示装置本体は、計算機に対しユーザの登録操作により入力された情報を表示する。
【発明の効果】
【００２３】
本発明の計算機によれば、電子ペーパーパネルを備えた表示装置は、駆動電圧を制御することにより表示内容を変更することができ、電源の切断後も直前に表示を行っていた内容を表示し続けるというメモリ性があり、電源や冷却ファンに関連した故障を検出して表示した後に、速やかに計算機の電源を切断した場合であっても、電源切断前の異常内容の表示を保持することができ、電源切断を伴う故障について、異常内容の表示をみて故障箇所や故障内容を正確に把握可能とし、メンテナンス性を大幅に向上できる。
【００２４】
また異常内容の表示にマニュアルに定めているエラーコードを使用することで、電子ペーパーパネルが小型化し、表示部を低コスト化することができる。
【００２５】
また本発明の別の形態にあっては、計算機に対しＵＳＢケーブルのような電源供給ができるインタフェースケーブルで接続して使用できる電子ペーパーパネルを使用した表示装置を提供することで、既設の計算機であっても、本発明の表示装置をケーブル接続しておくことで、電源切断を伴う故障について、異常内容を保存表示し、故障箇所や故障内容を正確且つ容易に把握可能として、同様にメンテナンス性を大幅に向上できる。
【発明を実施するための最良の形態】
【００２６】
図１は本発明が適用される計算機としてサーバの実施形態を示した説明図である。図１において、サーバ１０はサーバ本体１２、ディスプレイ１４、キーボート１６及びマウス１８で構成されている。サーバ本体１２の全部にはＣＤ−ＲＯＭドライブ２２とＦＤドライブ２４が設けられている。
【００２７】
サーバ本体の前面の上部には、本実施形態による電子ペーパー表示装置２０が配置されている。電子ペーパー表示装置２０にはサーバ本体１２にインストールした表示制御ソフトウェアの実行により、サーバ本体１２で検出された異常の内容を示す情報、例えばエラーコードを表示する。
【００２８】
電子ペーパー表示装置２０は表示パネルとして電子ペーパーパネルを使用しており、電子ペーパーパネルは表示駆動する際に電圧をかける必要があるが、表示後は電圧を切っても表示状態を保持するメモリ性を持っている。
【００２９】
このためサーバ本体１２で例えば電源故障や冷却ファン等の故障を検出して電子ペーパー表示装置２０にエラーコードを表示した後に電源を切断したとしても、電子ペーパー表示装置２０には電源または冷却ファンの故障を示すエラーコードが電源切断後の状態でもそのまま保持されている。
【００３０】
図２は本実施形態におけるサーバ本体１２の内部のユニット配置を示した説明図である。図２において、サーバ本体１２にはメインボード２６が設けられ、メインボード２６上にはＣＰＵ２８及びメモリ３０−１〜３０−４が実装されている。
【００３１】
またサーバ本体１２にはＰＣＩスロット３０が設けられ、ＰＣＩスロット３０にはＰＣＩボード３２−１〜３２−４が装着されている。またサーバ本体１２内には記憶デバイスとしてＣＤ−ＲＯＭドライブ２２、ＦＤドライブ２４、ハードディスクドライブ（ＨＤＤ）３４−１〜３４−４が配置される。更にサーバ本体１２内には電源ユニット３６、ファンユニット３８及びコネクタ部４０が設けられている。
【００３２】
図３は本実施形態におけるサーバを構成するコンピュータのハードウェア構成をソフトウェアの配置と共に示した説明図である。図３において、サーバ本体１２にはＣＰＵ２８が設けられ、ＣＰＵ２８のバス４２に対しＲＡＭ４４、ＲＯＭ４６、ハードディスクドライブ３４−１〜３４−４、ＣＤ−ＲＯＭドライブ２２、ＦＤドライブ２４、ネットワークアダプタ５０更にディスプレイ１４、キーボート１６及びマウス１８を接続するデバイスインタフェース５２を接続している。
【００３３】
本実施形態で新たに設けた電子ペーパー表示装置２０はデバイスインターフェース４８によりバス４２に接続されている。
【００３４】
ハードディスクドライブ３４−１〜３４−４側にはＯＳソフトウェア及び本実施形態で使用する表示制御ソフトウェアがインストールされており、サーバ本体１２を起動するとＲＯＭ４６のＢＩＯＳによるブートコードの実行で、ハードウェアディスクドライブ側からＲＡＭ４４にＯＳソフトウェア６０が読出し配置される。ＯＳソフトウェア６０をＣＰＵ２８で実行すると、ハードディスクドライブ側から表示制御ソフトウェア６２がＲＯＭ４６に読出し配置される。
【００３５】
ＲＡＭ４４のＯＳソフトウェア６０をＣＰＵ２８で実行することにより、ＣＰＵ２８に示すベースボード管理制御部６６としての機能が実現される。またＲＡＭ４４の表示制御ソフトウェア６２をＣＰＵ２８で実行することにより、ＣＰＵ２８に示す電子ペーパー表示装置２０の表示制御を行うための表示制御部６８の機能が実現される。
【００３６】
電子ペーパー表示装置２０は電子ペーパーパネル５４、ドライバ５６及びインタフェース５８を備えている。サーバ本体１２のデバイスインタフェース４８及び電子ペーパー表示装置２０側のインタフェース５８としては、例えばＩ２Ｃ（Ｒ）バスなどを使用する。Ｉ２Ｃ（Ｒ）バスはフィリップ社が提案した２線式の低速シリアルデータ伝送バスであり、通常同じ回路基板上の集積回路間で信号を掃除するために使用されており、本実施形態にあっては電子ペーパー表示装置２０に対する表示制御にＩ２Ｃ（Ｒ）バスを使用する。もちろんＩ２Ｃバス以外に適宜のインタフェースバスを使用することができる。
【００３７】
図４は本実施形態の電子ペーパー表示装置２０に設けた電子ペーパーパネルの構造を示した説明図である。本実施形態の電子ペーパーパネル５４は、青用液晶層７０、緑用液晶層７２及び赤用液晶層７４を積層配置し、それぞれの上下に透明フィルム７６−１〜７６−６と透明電極７８−１〜７８−６とを配置している。また最下部に黒を表示するための光吸収層８０が設けられている。
【００３８】
青用液晶層７０、緑用液晶層７２及び赤用液晶層７４のそれぞれは、コレスティック液晶を使用している。コレスティック液晶は特定の波長（光）のみを反射する性質があり、それぞれ赤色、緑色、青色の決められた波長を反射し、フルカラーを表示することができる。ここで全ての色を反射する場合、光の三原色により白が見え、全ての色を反射しない場合には一番下の層となる光吸収層８０の黒が見える。
【００３９】
青用液晶層７０、緑用液晶層７２、赤用液晶層７４に設けられるコレスティック液晶はメモリ性を備えており、液晶に印加する電界強度（電圧）の調整により特定の波長の光を反射するプレーナ状態、光を透過するフォーカルコニック状態またはその中間的な状態のいずれかの状態をとることができる。一度プレーナ状態、フォーカルコニック状態または中間的な状態にすると、その後は電圧をかけていなくても安定してその状態を維持するメモリ性が確保できる。
【００４０】
プレーンな状態で液晶分子は基板厚方向に順次回転して螺旋構造を形成し、螺旋構造の螺旋軸は基板面にほぼ垂直となり、液晶分子の螺旋ピッチに応じた所定波長の光が選択的に反射される。
【００４１】
一方、フォーカルコニック状態での液晶分子は、基板液晶面内方向に順次螺旋回転して螺旋構造を形成し、螺旋構造の螺旋軸は基板面に平行になる。この状態で液晶層における反射波長の選択性は失われ、入射光はほとんど透過する。
【００４２】
プレーンな状態とフォーカルコニック状態の中間な状態においては、その状態に応じて反射光と透過光の割合を調整できるので反射光の強度が加減できる。
【００４３】
具体的には初期状態で各層の液晶分子は螺旋軸が基板面にほぼ垂直な、プレーナ状態にあり、光を反射する状態となっており、三原色により白の表示予定となっている。
【００４４】
この状態で光を透過させたい部分に低い電圧をかけると螺旋軸が基板面にほぼ平行となるフォーカルコニック状態となり、電圧を切ってもこの状態が維持される。光を透過するフォーカルコニック状態から光を反射するプレーンな状態に変える場合には、高い電圧をかけることで螺旋軸を基板面にほぼ垂直とすることができる。
【００４５】
図５は本実施形態におけるサーバ本体の表示制御のための機能構成を示したブロック図である。図５において、サーバ本体１２にはＣＰＵメモリ、ＩＯデバイスなどのコンポーネントにより実現されるハードウェア８４とＯＳソフトウェア６０が設けられている。
【００４６】
またベースボート管理制御部６６には監視機構９０と情報保持部９２が設けられている。監視機構９０はＯＳソフトウェア６０の動作中に生じたハードウェア制御指示であるＯＳソフトウェア状態情報を管理制御オンライン用レジスタ８６からオンライン通知により受信し、変化のあったＯＳソフトウェア状態情報を情報保持部９２にＯＳソフトウェア状態情報９６として保存する。
【００４７】
また監視機構９０はハードウェア８４からエラー含むハードウェア状態情報をハードウェア割込みレジスタ８８を経由して受信した際に、受信したハードウェア状態情報を情報保持部９２にハードウェア状態情報９８として保存する。
【００４８】
表示制御部６８はベースボード管理制御部６６の監視機構９０により情報保持部９２に保存されたハードウェア状態情報９８を参照し、ハードウェア状態情報９８に含まれる異常内容を取り出し、電子ペーパー表示装置２０に異常内容を示すエラーコードを送って表示させる。
【００４９】
表示制御部６８には表示管理テーブル１００が設けられている。表示管理テーブル１００には本実施形態の電子ペーパー表示装置２０で表示するエラーコードをユーザ設定により選択できる表示フラグを登録している。
【００５０】
図６は図５の表示制御部６８に設けた表示管理テーブル１００を示した説明図である。図６において、表示管理テーブル１００はエラーコード、異常内容及び表示フラグで構成されている。
【００５１】
エラーコードは異常内容に対応しており、異常内容としては例えば電源故障、ファン故障、ＣＰＵ故障やメモリやＨＤＤ故障などの各種のハードウェア故障が設定されている。このような異常内容に対し、表示制御部６８はユーザによる選択操作に基づき電子ペーパー表示装置２０に表示する異常内容を選択することができる。
【００５２】
図６の場合は表示フラグが「１」にセットされると電子ペーパー表示装置２０の表示対象として選択することができる。表示管理テーブル１００の表示フラグを「１」にセットして選択する電子ペーパー表示装置２０に対する異常内容としては、主に故障検出でサーバ本体１２の電源切断が行われるような電源故障やファン故障、更にはＣＰＵ故障を主体に選択しておけばよい。
【００５３】
このように電源切断を伴う故障について表示選択を行うことで電源切断状態にあっても電子ペーパー表示装置２０にエラーコードの表示内容を残しておくことができる。
【００５４】
更に、表示制御部６８は、ユーザの登録操作により入力された情報を電子ペーパー表示装置２０に表示させることもできる。
【００５５】
図７は図６の表示管理テーブル１００に表示フラグを登録する表示選択処理を示したフローチャートであり、表示情報選択用の専用ツールとなるソフトウェアを使用して行うことができる。もちろんこの表示選択用のツールとしての機能は本実施形態の表示制御ソフトウェア６２が備えていてもよい。
【００５６】
図７において、表示情報選択処理はステップＳ１で表示管理テーブル１００を読込み、ステップＳ２で異常内容をひとつ取り出して表示し、ステップＳ３でユーザの選択を待ち、ユーザが表示対象として選択すればステップＳ４で表示対象として表示フラグを「１」にセットする。
【００５７】
このようなステップＳ１〜Ｓ４の処理をステップＳ５で全ての異常を処理するまで繰り返す。もちろん必要な異常内容の登録がすんだ途中段階で処理を中断することも可能である。
【００５８】
図８は本実施形態による電子ペーパー表示装置２０に対する表示制御処理を示したフローチャートであり、図３のＣＰＵ２８に設けた表示制御部６８の処理手順となる。図８において、表示制御は、まずステップＳ１でサーバ本体１２の電源投入時に異常が発生したか否か判別している。
【００５９】
電源投入時に異常の発生がなければステップＳ２でＯＳソフトウェアの起動を行うことになる。一方、電源投入時に異常が発生した場合にはステップＳ３に進み、電子ペーパー表示装置２０にエラー内容、具体的には対応するエラーコードを表示する。
【００６０】
続いてステップＳ４に進み、エラー内容が解消したか否かチェックしており、エラー内容が解消すればステップＳ２に進んでＯＳソフトウェアの起動に移行する。エラー内容が解消されなかった場合にはステップＳ１２に進み、電源停止を行う。
【００６１】
この電源停止に伴い電子ペーパー表示装置２０に対する電源供給も遮断されるが、ステップＳ３で表示したエラー内容は電子ペーパーパネルのメモリ性により電源が切れてもこのまま表示を保持することができる。
【００６２】
ステップＳ２でＯＳソフトウェアを起動した後は、ステップＳ５で運用中にユーザが選択設定した図６の表示管理テーブル１００で表示フラグ「１」を設定した異常が発生したか否かチェックしている。
【００６３】
選択した異常が発生するとステップＳ６に進み、電子ペーパー表示装置２０にエラーコードを表示する。続いてステップＳ７でエラー内容が解消されたか否か判別し、解消すればステップＳ８で表示内容をクリアし、解消していなければステップＳ８はスキップしてエラー内容を保持する。
【００６４】
続いてステップＳ９でユーザが専用の登録ツールを使用した情報入力があるか否かチェックしており、ユーザ登録ツールによる情報入力があればステップＳ１０に進み、ユーザが記録した情報を電子ペーパー表示装置２０に表示する。
【００６５】
このユーザが登録ツールを使用して入力する情報としては、例えばサーバのメンテナンスに必要な情報であり、特にサーバが故障などにより電源切断となっても表示を残しておきたい情報、例えばメンテナンス先の連絡電話番号などを入力して表示させておくことが望ましい。
【００６６】
続いてステップＳ１１で停止指示の有無をチェックしており、停止指示があればステップＳ１２で電源を停止して処理を終了することになる。
【００６７】
図９は計算機にケーブル接続して使用する本実施形態における電子ペーパー表示装置の他の実施形態を示した説明図である。
【００６８】
図１の実施形態にあっては、サーバ本体１２に電子ペーパー表示装置２０を製造段階で組み付けており、既存のサーバに本実施形態の電子ペーパー表示装置２０を使用することができない。
【００６９】
そこで図９の実施形態にあっては、サーバなどの計算機に対し外部接続して使用可能な携帯型電子ペーパー表示装置８２を提供している。図９において、携帯型電子ペーパー表示装置８２は電子ペーパーパネル５４を有し、外部にＵＳＢコネクタ８５を設けたＵＳＢケーブル８７を引き出している。
【００７０】
ＵＳＢケーブル８７を用いたＵＳＢインタフェースにあってはＵＳＢコネクタ８５をサーバ本体側に接続することで、ケーブル内の電源線と信号線により表示制御信号と電源供給を携帯型電子ペーパー表示装置８２に対し行うことができる。
【００７１】
図１０は図９の携帯型電子ペーパー表示装置をサーバに取り付けた状態を示した説明図である。図１０において、サーバ本体１２の裏面のＵＳＢコネクタに対し、図９に示す携帯型電子ペーパー表示装置８２のＵＳＢコネクタ８５を接続し、携帯型電子ペーパー表示装置８２は例えばサーバ本体１２の上部に例えば両面テープなどにより貼り付けて配置することで使用することができる。
【００７２】
サーバ本体１２内には図１の実施形態と同様、図３及び図５に示した表示制御ソフトウェア６２の実行により実現される表示制御部６８の機能が実現されており、サーバ本体内で電源や冷却ファンの故障検出が行われると、この異常を示すエラーコードを携帯型電子ペーパー表示装置８２に表示し、その後サーバ本体１２の電源を切断してもエラーコードは電子ペーパーパネル５４のメモリ性により保存され、その後サーバ１０を保守点検する際にエラーコードをみて故障箇所を的確に把握して適切な対応をとることができる。
【００７３】
尚、上記の実施形態は計算機としてサーバを例にとるものであったが、これ以外にパーソナルコンピュータや適宜の情報処理機器につき、本実施形態の電子ペーパー表示装置をそのまま適用することができる。
【００７４】
また図９の携帯型電子ペーパー表示装置８２にあっては、信号と同時に電源供給を行うＵＳＢケーブルよりサーバ本体１２に接続して使用する場合を例にとるものであったが、これ以外に無線タグなどに使用している小電力無線インタフェースを使用してもよい。
【００７５】
小電力無線インタフェースを使用する場合には携帯型電子ペーパー表示装置８２側にはバッテリーを内蔵する必要がある。
【００７６】
また本発明はその目的と利点を損なうことのない適宜の変形を含み、更に上記の実施形態に示した数値による限定は受けない。
【００７７】
ここで本発明の特徴をまとめて列挙すると次の付記のようになる。
（付記）
（付記１）
情報を処理する計算機本体と、
前記計算機本体の外部に設置され、電源が断たれても表示状態を保持する表示装置と、
前記計算機本体内に設けられ、計算機本体で検出した情報を前記表示装置に表示する表示制御部と、
を備えたことを特徴とする計算機。（１）
【００７８】
（付記２）
付記１記載の計算機に於いて、前記表示装置は電子ペーパーパネルを備えたことを特徴とする計算機。（２）
【００７９】
（付記３）
付記１記載の計算機に於いて、前記表示制御部は、前記計算機本体で検出したメンテナンスに必要な情報を前記表示装置に表示することを特徴とする計算機。（３）
【００８０】
（付記４）
付記１記載の計算機に於いて、前記表示制御部は、前記計算機本体で検出した異常の内容を示す情報を前記表示装置に表示することを特徴とする計算機。
【００８１】
（付記５）
付記１記載の計算機に於いて、前記表示制御部は、前記計算機本体で検出した異常の内容を示すエラーコードを前記表示装置に表示することを特徴とする計算機。
【００８２】
（付記６）
付記１記載の計算機に於いて、前記表示制御部は、前記計算機で検出する情報の内、前記表示装置に表示する情報を予め選択して設定することを特徴とする計算機。
【００８３】
（付記７）
付記１記載の計算機に於いて、前記表示制御部は、前記計算機本体に対しユーザの登録操作により入力された情報を前記表示装置に表示することを特徴とする計算機。（４）
【００８４】
（付記８）（表示装置そのもの）
計算機の外部又はその近傍に設置され、電源が断たれても表示状態を保持する表示装置本体と、
前記計算機にコネクタ接続されて電源及び表示情報信号を前記表示装置本体に供給するインタフェースケーブルと、
を備えたことを特徴とする表示装置。（５）
【００８５】
（付記９）
付記８記載の表示装置に於いて、前記表示装置本体は電子ペーパーパネル、ドライバ回路及びインタフェース回路を備えたことを特徴とする表示装置。（６）
【００８６】
（付記１０）
付記８記載の表示装置に於いて、前記表示装置本体は、前記計算機で検出したメンテナンスに必要な情報を表示することを特徴とする表示装置。
【００８７】
（付記１１）
付記８記載の表示装置に於いて、前記表示装置本体は、前記計算機で検出した異常の内容を示す情報を表示することを特徴とする表示装置。
【００８８】
（付記１２）
付記８記載の表示装置に於いて、前記表示装置本体は、前記計算機で検出した異常の内容を示すエラーコードを表示することを特徴とする表示装置。
【００８９】
（付記１３）
付記８記載の表示装置に於いて、前記表示装置本体は、前記計算機で検出する情報の内、予め選択して設定した情報を表示することを特徴とする計算機。
【００９０】
（付記１４）
付記８記載の表示装置に於いて、前記表示装置本体は、前記計算機に対しユーザの登録操作により入力された情報を表示することを特徴とする表示装置。
【図面の簡単な説明】
【００９１】
【図１】本発明が適用されたサーバの実施形態を示した説明図
【図２】本実施形態におけるサーバ本体の内部のユニット配置を示した説明図
【図３】本実施形態におけるサーバを構成するコンピュータのハードウェア構成をソフトウェアの配置と共に示した説明図
【図４】本実施形態で使用する電子ペーパーパネルの構造を示した説明図
【図５】本実施形態における表示制御のための機能構成を示したブロック図
【図６】図５の表示制御部に設けた表示管理テーブルを示した説明図
【図７】図６の表示管理テーブルに表示フラグを登録する表示情報選択処理を示したフローチャート
【図８】本実施形態による電子ペーパー表示装置に対する表示制御処理を示したフローチャート
【図９】計算機にケーブル接続して使用する本発明による電子ペーパー表示装置の他の実施形態を示した説明図
【図１０】図９の電子ペーパー表示装置をサーバに取り付けた状態を示した説明図
【符号の説明】
【００９２】
１０：サーバ
１２：サーバ本体
１４：ディスプレイ
１６：キーボード
１８：マウス
２０：電子ペーパー表示装置
２２：ＣＤ−ＲＯＭドライブ
２４：ＦＤドライブ
２６：メインボード
２８：ＣＰＵ
３０−１〜３０−４：メモリ
３２：ＰＣＩスロット
３２−１〜３２−４：ＰＣＩボード
３４−１〜３４−４：ハードディスクドライブ（ＨＤＤ）
３６：電源ユニット
３８：ファンユニット
４０：コネクタ部
４２：バス
４４：ＲＡＭ
４６：ＲＯＭ
４８，５２：デバイスインタフェース
５０：ネットワークアダプタ
５４：電子ペーパーパネル
５６：ドライバ
５８：インタフェース
６０：ＯＳソフトウェア
６２：表示制御ソフトウェア
６４：ベースボード管理制御部
６６：ベースボード管理制御部
６８：表示制御部
７０：青用液晶層
７２：緑用液晶層
７４：赤用液晶層
７６−１〜７６−６：透明フィルム
７８−１〜７８−６：透明電極
８０：光吸収層
８２：携帯型電子ペーパー表示装置
８４：ハードウェア
８５：ＵＳＢコネクタ
８６：管理制御オンライン用レジスタ
８７：ＵＳＢケーブル
８８：ハードウェア割込みレジスタ
９０：監視機構
９２：情報保持部
９６：ＯＳソフトウェア状態情報
９８：ハードウェア状態情報
１００：表示管理テーブル
【図１】
2008225528.tif 000003
【図２】
2008225528.tif 000004
【図３】
2008225528.tif 000005
【図４】
2008225528.tif 000006
【図５】
2008225528.tif 000007
【図６】
2008225528.tif 000008
【図７】
2008225528.tif 000009
【図８】
2008225528.tif 000010
【図９】
2008225528.tif 000011
【図１０】
2008225528.tif 000012